(57)【要約】【課題】本発明の課題は、端末接続用のポート数を容易に増やすことができ、また、インタフェースが光化した端末に対応させることができ、さらにネットワークデバイスの小型化を損なうことなく容易に給電できるネットワークデバイスの給電方法を提供することにある。【解決手段】本発明は、空きワイヤ／ピンを設けるようにしてＬＡＮ用配線をネットワークデバイスに接続し、前記空きワイヤ／ピンを利用してネットワークデバイスに給電することを特徴とする。【選択図】    図２
2004310569.tif 000002
【特許請求の範囲】
【請求項１】
空きワイヤ／ピンを設けるようにしてＬＡＮ用配線をネットワークデバイスに接続し、前記空きワイヤ／ピンを利用してネットワークデバイスに給電することを特徴とするネットワークデバイスの給電方法。
【請求項２】
空きワイヤ／ピンが無いようにしてＬＡＮ用配線をネットワークデバイスに接続し、前記ＬＡＮ用配線とネットワークデバイスの接続線の一部に直流電圧をネットワーク信号に重畳させて印加することにより、前記ネットワークデバイスに給電することを特徴とするネットワークデバイスの給電方法。
【請求項３】
ＬＡＮ用配線が空きワイヤ／ピンを設けるようにして接続されたソケットを有するネットワーク配線用ユニットと、
前記ネットワーク配線用ユニットに設けられ前記空きワイヤ／ピンに接続される給電手段と、
前記ソケットに挿入接続されるプラグを介して接続されるデバイス機能部を有するネットワークデバイスと、
前記ネットワークデバイスに設けられ前記デバイス機能部の出力が供給される複数のイーサネット用ポートと
を具備することを特徴とするネットワークデバイスの給電システム。
【請求項４】
ＬＡＮ用配線が空きワイヤ／ピンが無いようにして接続されたソケットを有するネットワーク配線用ユニットと、
前記ネットワーク配線用ユニットに設けられ前記ＬＡＮ用配線の一部に直流電圧を印加する給電手段と、
前記ソケットに挿入接続されるプラグを介して接続されるデバイス機能部を有するネットワークデバイスと、
前記ネットワークデバイスに設けられ前記給電手段により印加された直流電圧を抽出して前記デバイス機能部に供給する印加電圧抽出回路と、
前記ネットワークデバイスに設けられ前記デバイス機能部の出力が供給される複数のイーサネット用ポートと
を具備することを特徴とするネットワークデバイスの給電システム。
【請求項５】
ＬＡＮ用配線が空きワイヤ／ピンを設けるようにして接続されたソケットを有すると共に前記空きワイヤ／ピンに給電手段が接続されるネットワーク配線用ユニットのソケットに挿入接続されるプラグを介して接続されるデバイス機能部と、
前記デバイス機能部の出力が供給される複数のイーサネット用ポートと
を具備することを特徴とするネットワークデバイス。
【請求項６】
ＬＡＮ用配線が空きワイヤ／ピンが無いようにして接続されたソケットを有すると共に前記ＬＡＮ用配線の一部に直流電圧が印加されるネットワーク配線用ユニットのソケットに挿入接続されるプラグを介して接続されるデバイス機能部と、
前記給電手段により印加された直流電圧を抽出して前記デバイス機能部に供給する印加電圧抽出回路と、
前記デバイス機能部の出力が供給される複数のイーサネット用ポートと
を具備することを特徴とするネットワークデバイス。
【請求項７】
デバイス機能部を光／電気変換機能部とし、イーサネット用ポートを光インタフェースとすることを特徴とする請求項５又は６記載のネットワークデバイス。
【請求項８】
デバイス機能部をスイッチングハブ機能部とし、イーサネット用ポートをハブポートとすることを特徴とする請求項５又は６記載のネットワークデバイス。
【発明の詳細な説明】
【０００１】
【発明の属する技術分野】
本発明は、主に構内系ネットワークの構築において、ＬＡＮ（Ｌｏｃａｌ  Ａｒｅａ  Ｎｅｔｗｏｒｋ）のハブ（ＨＵＢ）等のポート数が不足した場合、あるいは端末のインタフェースの光化が進んだ場合に対応できるネットワークデバイスに給電するネットワークデバイスの給電方法及びシステム並びにネットワークデバイスに関する。
【０００２】
【従来の技術】
従来、構内系ネットワークの構築において、各ネットワークデバイスへの給電はそれぞれ独自に行っている。そのため、ＡＣアダプタをつけて、さらにそれ用の電源コンセントも用意しなければならない。また、ネットワークデバイスの小型化を進める場合、動作部がＩＣ化により比較的小型化が容易であった場合も、ＡＣ／ＤＣ変換部の小型化が難しく、全体としてあまり小さくなっていない。
【０００３】
ネットワークが普及すればするほど、ネットワークデバイスへの給電が困難になり、電源コンセントの確保、設置スペースの確保が難しくなってくる。
【０００４】
ネットワークデバイスを小型化する場合も、せっかく装置自体の小型化が成功しても、給電部の大きさが変らず、結局全体の大きさが以前とさほど変らない。
【０００５】
ネットワークデバイスの装置部と給電部を分離する方法を取っても、結局電源コンセントとＡＣアダプタの設置スペースが必要になり、根本的な解決方法にならない。
【０００６】
ＬＡＮのハブ等でポート数が不足した場合、ポート数を増やすためには、専用電源の確保やＬＡＮケーブル接続作業を行わなければならず、煩雑な作業を要した。
【０００７】
また、端末のインタフェースの光化が進んだ場合、現在、主流のメタルネットワークでは対応が困難となる。
【０００８】
【特許文献１】
特開２００３−０１８１７３号公報。
【０００９】
【発明が解決しようとする課題】
本発明は上記の事情に鑑みてなされたもので、端末接続用のポート数を容易に増やすことができ、また、インタフェースが光化した端末に対応させることができ、さらにネットワークデバイスの小型化を損なうことなく容易に給電できるネットワークデバイスの給電方法及びシステム並びにネットワークデバイスを提供することを目的とする。
【００１０】
【課題を解決するための手段】
上記目的を達成するために本発明のネットワークデバイスの給電方法は、空きワイヤ／ピンを設けるようにしてＬＡＮ用配線をネットワークデバイスに接続し、前記空きワイヤ／ピンを利用してネットワークデバイスに給電することを特徴とする。
【００１１】
また本発明のネットワークデバイスの給電方法は、空きワイヤ／ピンが無いようにしてＬＡＮ用配線をネットワークデバイスに接続し、前記ＬＡＮ用配線とネットワークデバイスの接続線の一部に直流電圧をネットワーク信号に重畳させて印加することにより、前記ネットワークデバイスに給電することを特徴とする。
【００１２】
また本発明のネットワークデバイスの給電システムは、ＬＡＮ用配線が空きワイヤ／ピンを設けるようにして接続されたソケットを有するネットワーク配線用ユニットと、前記ネットワーク配線用ユニットに設けられ前記空きワイヤ／ピンに接続される給電手段と、前記ソケットに挿入接続されるプラグを介して接続されるデバイス機能部を有するネットワークデバイスと、前記ネットワークデバイスに設けられ前記デバイス機能部の出力が供給される複数のイーサネット用ポートとを具備することを特徴とするものである。
【００１３】
また本発明のネットワークデバイスの給電システムは、ＬＡＮ用配線が空きワイヤ／ピンが無いようにして接続されたソケットを有するネットワーク配線用ユニットと、前記ネットワーク配線用ユニットに設けられ前記ＬＡＮ用配線の一部に直流電圧を印加する給電手段と、前記ソケットに挿入接続されるプラグを介して接続されるデバイス機能部を有するネットワークデバイスと、前記ネットワークデバイスに設けられ前記給電手段により印加された直流電圧を抽出して前記デバイス機能部に供給する印加電圧抽出回路と、前記ネットワークデバイスに設けられ前記デバイス機能部の出力が供給される複数のイーサネット用ポートとを具備することを特徴とするものである。
【００１４】
また本発明のネットワークデバイスは、ＬＡＮ用配線が空きワイヤ／ピンを設けるようにして接続されたソケットを有すると共に前記空きワイヤ／ピンに給電手段が接続されるネットワーク配線用ユニットのソケットに挿入接続されるプラグを介して接続されるデバイス機能部と、前記デバイス機能部の出力が供給される複数のイーサネット用ポートとを具備することを特徴とするものである。
【００１５】
また本発明のネットワークデバイスは、ＬＡＮ用配線が空きワイヤ／ピンが無いようにして接続されたソケットを有すると共に前記ＬＡＮ用配線の一部に直流電圧が印加されるネットワーク配線用ユニットのソケットに挿入接続されるプラグを介して接続されるデバイス機能部と、前記給電手段により印加された直流電圧を抽出して前記デバイス機能部に供給する印加電圧抽出回路と、前記デバイス機能部の出力が供給される複数のイーサネット用ポートとを具備することを特徴とするものである。
【００１６】
また本発明のネットワークデバイスは、デバイス機能部を光／電気変換機能部とし、イーサネット用ポートを光インタフェースとすることを特徴とするものである。
【００１７】
また本発明のネットワークデバイスは、デバイス機能部をスイッチングハブ機能部とし、イーサネット用ポートをハブポートとすることを特徴とするものである。
【００１８】
【発明の実施の形態】
以下図面を参照して本発明の実施の形態例を詳細に説明する。
【００１９】
図１は本発明の実施形態例を示す配線システム構成図である。すなわち、ホームネットワークの起点となる場所を最初の部屋の情報分電盤１１と想定した場合である。情報分電盤１１において、２ワイヤの電話線１２およびＡＣ１００Ｖ電力線１３はそのままＡＣ電源アダプタ兼集線装置１４に接続され、アクセスルータ／ホームゲートウェイ１５から受けた４ワイヤのイーサネット１６はＡＣ電源アダプタ兼集線装置１４に接続される。ＡＣ電源アダプタ兼集線装置１４において、電話線１２を２ワイヤ、電力線１３からＡＣ／ＤＣ電源ユニットが取り出した直流電力を２ワイヤ、イーサネット１６を４ワイヤとして、８ワイヤのＵＴＰ（Ｕｎｓｈｉｅｌｄｅｄ  Ｔｗｉｓｔｅｄ−Ｐａｉｒ）ケーブルに入れて１条バス状のＵＴＰケーブル１７にして住宅内に配線する。住宅内の各部屋にはホームネットワーク配線用ユニット１８が設置され、各部屋のホームネットワーク配線用ユニット１８はＵＴＰケーブル１７により配線される。ホームネットワーク配線用ユニット１８はイーサネットのハブ（ＨＵＢ）と同じ機能を果たす。ホームネットワーク配線用ユニット１８のイーサネット用ポート１９にはネットワークデバイス２０を介してディスクパソコン２１、ノートパソコン２２あるいはネットワークが接続され、ホームネットワーク配線用ユニット１８の電話用ポート２３には電話機２４が接続される。
【００２０】
図２は本発明の一実施形態例に係るネットワークデバイスの給電装置を示す構成説明図であり、例えば１００ＢＡＳＥ−ＴＸのような、空きワイヤ／ピンがあるイーサネット規格の場合、その空きワイヤ／ピンを利用して、小型ネットワークデバイスに給電する場合である。
【００２１】
ホームネットワーク配線用ユニット１８は例えば省配線イーサハブ等の集中給電装置を持っているネットワークデバイスであり、図２ではイーサネット用ポート１９の近傍部のみを示している。このホームネットワーク配線用ユニット１８のイーサネット用ポート１９は、ＲＪ４５ソケットに構成され、このＲＪ４５ソケットには８個のピン２５１〜２５８が設けられる。前記ピン２５１，２５２，２５３，２５６には例えば１００ＢＡＳＥ−ＴＸ等のＬＡＮ用配線２６が１，２，３，６番線として配線接続される。ホームネットワーク配線用ユニット１８にはＡＣ／ＤＣ変換部２７が設けられ、このＡＣ／ＤＣ変換部２７の出力端子は前記ピン２５７，２５８に７，８番線として接続される。前記イーサネット用ポート１９のＲＪ４５ソケットにはネットワークデバイス２０のＲＪ４５プラグ２９が挿入されてＬＡＮ用配線２６が１，２，３，６番線としてデバイス機能部３０に接続されると共に給電用配線が７，８番線としてデバイス機能部３０に接続される。デバイス機能部３０は例えば小型Ｏ／Ｅ変換器（小型光／電気変換器）あるいは小型スイッチングハブ等の機能を有している小消費電力のデバイスである。前記デバイス機能部３０は複数のイーサネット用ポート３１に接続される。
【００２２】
前記イーサネット用ポート１９のＲＪ４５ソケットに、ネットワークデバイス２０のＲＪ４５プラグ２９を挿入すると、デバイス機能部３０には自動的に７，８番線を通してＡＣ／ＤＣ変換部２７から給電され、デバイス機能部３０が駆動される。デバイス機能部３０が駆動されると、ＬＡＮ用配線２６の１，２，３，６番線からＬＡＮの信号が伝送され、イーサネット用ポート３１に伝わる。この際、前記デバイス機能部３０が小型Ｏ／Ｅ変換器として機能する場合にはイーサネット用ポート３１が光インタフェースとして機能し、また前記デバイス機能部３０が小型スイッチングハブとして機能する場合にはイーサネット用ポート３１がハブポートとして機能する。
【００２３】
図３は本発明の他の実施形態例に係るネットワークデバイスの給電装置を示す構成説明図であり、例えば１０００ＢＡＳＥ−Ｔのような、空きワイヤ／ピンがないイーサネット規格の場合、直流電力をイーサネット信号に重畳させて、小型デバイスに給電する場合である。
【００２４】
ホームネットワーク配線用ユニット１８′は集中給電装置を持っているネットワークデバイスであり、図３ではイーサネット用ポート１９′の近傍部のみを示している。このホームネットワーク配線用ユニット１８′のイーサネット用ポート１９′は、ＲＪ４５ソケットに構成され、このＲＪ４５ソケットには８個のピン２５′１〜２５′８が設けられる。前記ピン２５′１〜２５′８には例えば１０００ＢＡＳＥ−Ｔ等のＬＡＮ用配線２６′が１〜８番線として配線接続される。ホームネットワーク配線用ユニット１８′にはＡＣ／ＤＣ変換部２７′が設けられ、このＡＣ／ＤＣ変換部２７′の出力端子は前記ピン２５７，２５８に接続された７，８番線に接続される。前記イーサネット用ポート１９′のＲＪ４５ソケットにはネットワークデバイス２０′のＲＪ４５プラグ２９′が挿入されてＬＡＮ用配線２６′が１〜８番線としてデバイス機能部３０′に接続されると共にデバイス機能部３０′に接続された７，８番線が給電用配線として用いられる。前記ネットワークデバイス２０′において、ＡＣ／ＤＣ変換部２７′の出力端子が接続された７，８番線に印加電圧抽出回路３２の入力端子が接続され、この印加電圧抽出回路３２の出力端子はデバイス機能部３０′に接続される。デバイス機能部３０′は例えば小型Ｏ／Ｅ変換器（小型光／電気変換器）あるいは小型スイッチングハブ等の機能を有している小消費電力のデバイスである。前記デバイス機能部３０′は複数のイーサネット用ポート３１′に接続される。
【００２５】
前記イーサネット用ポート１９′のＲＪ４５ソケットに、ネットワークデバイス２０′のＲＪ４５プラグ２９′を挿入すると、ＡＣ／ＤＣ変換部２７′からＬＡＮ用配線２６′の７，８番線に数ボルト〜数十ボルトの出力直流電圧が印加され、イーサネットのネットワーク信号に印加電圧が重畳させる。印加電圧抽出回路３２では、ネットワーク信号に重畳された印加電圧を分離抽出してデバイス機能部３０′に供給する。印加電圧が供給されてデバイス機能部３０′が駆動されると、ＬＡＮ用配線２６′の１〜８番線からＬＡＮの信号が伝送され、イーサネット用ポート３１′に伝わる。この際、前記デバイス機能部３０′が小型Ｏ／Ｅ変換器として機能する場合にはイーサネット用ポート３１′が光インタフェースとして機能し、また前記デバイス機能部３０′が小型スイッチングハブとして機能する場合にはイーサネット用ポート３１′がハブポートとして機能する。
【００２６】
以上のように、ＬＡＮのハブ等でポート数が不足した場合、上記の実施形態例に係るネットワークデバイスの給電装置を用いることで、専用電源の確保やＬＡＮケーブル接続作業を行うことなしに、容易にポート数を増やすことができる。また、端末のインタフェースの光化が進んだ場合、現在、主流のメタルネットワークでは対応が困難となるが、上記の実施形態例に係るネットワークデバイスの給電装置を用いることにより、ネットワークの媒体をメタルのままで、光化した端末装置に対応させることができる。例えば、１０００ＢＡＳＥ−Ｔネットワークに対し、上記の実施形態例に係るネットワークデバイスの給電装置を用いることにより、１０００ＢＡＳＥ−Ｔと１０００ＢＡＳＥ−ＳＸの間で相互変換を行うことができる。さらに、ネットワークデバイスへの給電方法として、ＬＡＮケーブル等の空きワイヤ／ピンを利用したり、空きワイヤ／ピンが無い場合には直流電圧を印加する方法を採ることにより装置の小型化・低コスト化をすることができる。
【００２７】
尚、上記の実施形態例に係るネットワークデバイスの給電装置は、将来ギガイーサネットが普及した場合、カテゴリ５ＥのＵＴＰケーブル１条の８ワイヤをすべてＬＡＮサービスに使用すれば、ギガイーサネットへの対応もでき、この場合の給電方法にも対応できる。
【００２８】
又、上記の実施形態例に係るネットワークデバイスの給電装置は、ネットワークインターフェイスの変換装置として使用可能であり、ルータ、スイッチ、ＯＮＵ間の接続に使用可能であると同時に、ネットワーク装置〜端末（ＮＩＣ）との接続にも使用可能である。
【００２９】
又、上記の実施形態例に係るネットワークデバイスの給電装置において、故障等の場合、特に４，５，７，８番のワイヤ／ピンでショートする恐れがあるので、そのような場合、ショートによる発火を防ぐために、本実施形態例で使用されるＵＴＰケーブルのワイヤの外被、ＲＪ４５のプラグ及びユニット内部の材料は安全性を高めるために、難燃性の材料を使用することができる。
【００３０】
尚、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【００３１】
【発明の効果】
以上述べたように本発明によれば、端末接続用のポート数を容易に増やすことができ、また、インタフェースが光化した端末に対応させることができ、さらにネットワークデバイスの小型化を損なうことなく容易に給電できるネットワークデバイスの給電方法及びシステム並びにネットワークデバイスを提供することができる。
【図面の簡単な説明】
【図１】本発明の実施形態例に係る配線システムを示す構成説明図である。
【図２】本発明の一実施形態例に係るネットワークデバイスの給電システムを示す構成説明図である。
【図３】本発明の他の実施形態例に係るネットワークデバイスの給電システムを示す構成説明図である。
【符号の説明】
１８  ホームネットワーク配線用ユニット
１９  イーサネット用ポート
２０  ネットワークデバイス
２５１〜２５８  ピン
２６  ＬＡＮ用配線
２７  ＡＣ／ＤＣ変換部
２９  ＲＪ４５プラグ
３０  デバイス機能部
３１  イーサネット用ポート
【図１】
2004310569.tif 000003
【図２】
2004310569.tif 000004
【図３】
2004310569.tif 000005